(57)【要約】 【課題】光を無駄に散逸させることがなく、且つ装飾態様に変化を付けることができる回転体を提供する。【解決手段】取付ベース１に回転可能に配設された回転板２と、回転板２の一側に立設された反射鏡３と、回転板２の中心に貫設されてＬＥＤ４からの入射光を反射鏡３に向けて屈曲させて出射する導光レンズ５と、導光レンズの下方に配置され導光レンズに向けて発光するＬＥＤと、からなる回転体。導光レンズ５は、導光用の柱状部５１を有し、この柱状部５１の先端には入射光を直角方向に屈曲させる反射面５２が形成され、反射面５２の裏側となる柱状部５１側面には光の出射面５４が形成されている。【選択図】図１
2009093857.tif 000002
【特許請求の範囲】
【請求項１】
取付ベースに回転可能に配設された回転板と、
回転板の一側に立設された反射鏡と、
回転板の回転中心に貫設されてＬＥＤからの入射光を反射鏡に向けて屈曲させて出射する導光レンズと、
導光レンズの下方に配置され導光レンズに向けて発光するＬＥＤと、からなることを特徴とする回転灯。
【請求項２】
導光レンズは、導光用の柱状部を有し、この柱状部の先端には下方からの入射光を反射鏡の方向に直角に屈曲させる反射面が形成され、反射面の裏側となる柱状部側面には光の出射面が形成されていることを特徴とする請求項１に記載の回転灯。
【請求項３】
反射面に、光を反射鏡に向かう方向とは異なる方向に屈曲させて出光するための、出射部を設けたことを特徴とする請求項２に記載の回転灯。
【請求項４】
反射鏡に装飾を施したことを特徴とする請求項１〜３の何れかに記載の回転灯。
【請求項５】
ＬＥＤの発光と回転板の回転速度とを制御する制御機構と回転板の回転位置を検出する位置検出機構とを備えて、遊技機に配設されたことを特徴とする請求項１〜４の何れかに記載の回転灯。
【発明の詳細な説明】
【技術分野】
【０００１】
本発明は、ＬＥＤを光源として用いた回転灯に関するものである。
【背景技術】
【０００２】
従来の回転灯は光源に白熱電球を用いていた。しかし、白熱電球は消費電力が大きく、寿命が短く、且つ衝撃に弱いという欠点があった。
そこで上記した欠点を補うものとして、特許文献１にはＬＥＤ（発光ダイオード）を光源として用いた回転灯が開示されている。この回転灯は、ランプ台内部にＬＥＤからなる光源を上向きに配置し、この光源の上方に反射鏡を配設して、反射鏡を回転させることによって、ＬＥＤからの発光を閃光させるようにしたものである。このように構成したことによって、光を周囲に向けて閃光させて人の注意を引き付けることができる。
【０００３】
しかしながら、ＬＥＤは光の直進性に優れているがビームには開きがあって一部は斜め方向に拡散される。したがって、発光された多くの光は反射鏡で反射されるが、一部は反射鏡から外れて反射されることなく拡散されてしまうので、光源の輝度に対して反射された光の輝度は低下して発光が無駄に散逸されてしまうという欠点があった。さらに、比較的大きな平板状の反射鏡を傾けて使用しているために、回転体の装飾態様が制限を受けてしまい、変化に富んだ装飾を施すことができないという制限もあった。
【特許文献１】登録実用新案第３１２７５２３号公報
【発明の開示】
【発明が解決しようとする課題】
【０００４】
本発明は、上記した従来の問題点に鑑み、光を無駄に散逸させることがなく、且つ装飾態様に変化を付けることができる回転体を提供することを課題とする。
【課題を解決するための手段】
【０００５】
上記の課題を解決するためになされた本発明に係る回転体は、
取付ベースに回転可能に配設された回転板と、
回転板の一側に立設された反射鏡と、
回転板の中心に貫設されてＬＥＤからの入射光を反射鏡に向けて屈曲させて出射する導光レンズと、
導光レンズの下方に配置され導光レンズに向けて発光するＬＥＤと、からなることを特徴とするものである。
【０００６】
上記した発明において、導光レンズは、導光用の柱状部を有し、この柱状部の先端には入射光を直角方向に屈曲させる反射面が形成され、反射面の裏側となる柱状部側面には光の出射面が形成されているものとすることができ、前記反射面に、光を反射鏡に向かう方向とは異なる方向に屈曲させて出光するための、出射部を設けることもできる。また、反射鏡に装飾を施すことができるし、さらに、ＬＥＤの発光と回転板の回転速度とを制御する制御機構と回転板の回転位置を検出する位置検出機構とを備えて、この回転灯を遊技機に配設することができる。
【発明の効果】
【０００７】
請求項１に係る発明は、ＬＥＤの発光を導光レンズを介して反射鏡に導くので、光の散逸を最小限にして、反射鏡の反射光の輝度の低下を抑えることができる。
請求項２に係る発明は、導光レンズにより光を直角方向に屈曲させて反射鏡に導くので、光の散逸を低減することができる。
請求項３に係る発明は、入射された光の一部を反射鏡とは反対方向に出射させるので、回転灯の閃光の態様に変化を付けることができる。
請求項４に係る発明は、反射鏡が傾斜させた平板状のものに限定されないので、反射鏡の形状に自由度をもたせて装飾を施すことができる。
請求項５に係る発明は、制御機構と位置検出機構によりＬＥＤの発光と回転板の回転速度とを制御するので、遊技機における遊技の内容に応じた演出を行うことができる。
【発明を実施するための最良の形態】
【０００８】
以下に、本発明の実施形態を図面に基づき説明する。
図１〜５は、本発明の第１の実施形態の回転灯を示す図であって、１は円板状の取付ベース、２は取付ベースに回転可能に配設された回転板、３は回転板２の一側に立設された反射鏡である。取付ベース１の下方には脚部１１に固定されたプリント基板８が配設され、この基板８にＬＥＤ４が上方に発光するようにして備えられている（図２）。
【０００９】
取付ベース１は、中心に穴１５を有しており（図４）、この穴１５を介して回転板２は裏面が駆動ギア６と接続され（図３）、この駆動ギア６はモータ９のモータギア９１と噛合しているので、モータ９の回転により回転板２は回転される（図２）。また、駆動ギア６には、回転板２の中心を貫通して透明樹脂製の導光レンズ５が立設されているので、導光レンズ５は駆動ギア６によって回転される回転板２と一体に回転する。
【００１０】
導光レンズ５は、下部の小径部５５と上部の太径部５６とからなる柱状部５１を有し、小径部５５の下端にはＬＥＤ４の直上に位置される入射面５２が形成されている（図３）。柱状部５１の外周面は光の乱反射を防ぐように鏡面仕上げされているので、入射面５２から入射した光は外周面から外部に散逸されることなく上方に導くことができる。ＬＥＤ４と導光レンズ５の入射面との距離は近いほど拡散される光が少なくなるため望ましいが、ＬＥＤ４が固定されているのに対して導光レンズ５は回転しているので、両者が接触しない程度の距離（1〜2ｍｍ程度）が望ましい。また、導光レンズの入射面はフレネルレンズ等により更に集光効率を上げることも可能である。
【００１１】
太径部５６の先端には、前方に向けて４５°に面取りされた反射面５３が形成されており、この反射面５３も鏡面に仕上げられているので、下方から案内されてきた光は後方の反射鏡３の方向に向けて屈曲される。さらに反射面５３の裏側で柱状部５１の側面には、鏡面仕上げされた出射面５４が形成されているので、屈曲された光は出射面５４を透過直進して反射鏡３に至り、反射鏡３にて反射される。この反射鏡３は回転板２と共に回転するので、一方向からみる看者に対して閃光を発することができる。
【００１２】
以下に、回転灯の取付構造について詳述する。
回転板２は、中心に穴部２１を有し、裏側には螺合用のボス部２２と位置決め片２３とを有する筒状部２４が形成されている（図５）。
駆動ギア６は、上面側の中心に短筒部６１と、この短筒部６１を囲う外側筒部６２とを有する。これら短筒部６１には凹欠部６５が、外側筒部６２には外側凹欠部６６が夫々設けられている（図４）。
導光レンズ５の小径部５５は、駆動ギア６の中心に設けた短筒部６１に嵌め込まれる寸法に形成されている。また、小径部５５には直交する３方向に面取り部５５ａが形成され残りの１方向には位置決め突部５５ｂが形成されている。
図４において、７は取付部材であって、この取付部材７には、前記面取り部５５ａに対応した角形部７１を有する穴７２が設けられている。
【００１３】
以上のように構成された各部材において、導光レンズ５の小径部５５を短筒部６１に嵌め込むことによって太径部５６の下端が短筒部６１上端に当接して、高さ方向の位置決めがなされる。さらに、取付部材７の角形部６１に面取り部５５ａを嵌め込むとともに、駆動ギア６の外側筒部６２を取付ベース１の穴１５に差し込んで、取付部材７を駆動ギア６を挟んだ状態で回転板２の裏面に螺着することによって、回転体２と導光レンズ５と駆動ギア６と取付部材７とが、取付ベース１に対して回転可能に一体に組み付けることができる。このとき、回転板２の位置決め片２３を駆動ギア６の外側凹欠部６６に、導光レンズ５の位置決め突部５５ｂを駆動ギア６の凹欠部６５に、夫々嵌め込むことで、回転板２と導光レンズ５との駆動ギア６に対する回転方向の位置決めがなされる（図４、８）。
【００１４】
また、駆動ギア６は、下面に遮光板６３と位置決め突起６４とを有する。また、取付部材７は、位置決め突起６４が嵌め込まれる切り込み７３が形成されている。さらに、プリント基板８には、フォトセンサー８１が配置されているので、遮光板６３とフォトセンサー８１とで、導光レンズ５並びに反射鏡３の向きを検出できるので所定の方向に位置決めすることができる。
【００１５】
図６に記載の回転体は、反射面５３に、光を反射鏡３とは反対の方向に屈曲させて出光するための、出射部５７を設けてある。すなわち、出射部５７は、光の反射面５８を有しているので、この反射面５８で入射光の一部を反射鏡３とは反対の方向に屈曲させることができるので、閃光の態様に変化を付けることができる。
【００１６】
また、図７に記載の回転体には反射面５３に向きの異なる二つの出射部５７を設けてあるので、入射光の一部を複数の方向に屈曲させて出射することができる。
【００１７】
上記した反射鏡３は、凹面に形成して光を放射状に反射するようにしてある。この反射鏡３を実施例とは異なる円以外の形状にしたり各種の装飾を施したりして、遊技機に用いた場合に遊技の興趣を盛り上げることができる。
【００１８】
さらに、回転灯に、ＬＥＤ４の発光と回転板２の回転速度とを制御する制御機構を備えて、この回転灯を遊技機に配設することによって、光の点滅間隔や閃光の間隔を遊技の状態に対応させたりして、遊技の興趣を盛り上げることができる。また、回転を停止させるときには、フォトセンサー８１の検出結果に基づき、反射板３の反射面が遊技者に対面するように停止させる。反射板３に施された装飾により、停止している場合でも演出効果を得ることができるという利点がある。
【図面の簡単な説明】
【００１９】
【図１】本発明の回転灯の斜視図である。
【図２】回転灯の正面図である。
【図３】図２のＡ−Ａ線断面図である。
【図４】上方からみた回転灯の分解斜視図である。
【図５】下方からみた回転灯の分解斜視図である。
【図６】第２の実施形態の回転灯の斜視図である。
【図７】第３の実施形態の回転灯の斜視図である。
【図８】導光レンズの背面側の斜視図である。
【符号の説明】
【００２０】
１  取付ベース、２  回転板、３  反射鏡、４  ＬＥＤ、５  導光レンズ、５１  導光用の柱状部、５３  反射面、５４  光の出射面、
【図１】
2009093857.tif 000003
【図２】
2009093857.tif 000004
【図３】
2009093857.tif 000005
【図４】
2009093857.tif 000006
【図５】
2009093857.tif 000007
【図６】
2009093857.tif 000008
【図７】
2009093857.tif 000009
【図８】
2009093857.tif 000010